(57)【要約】【課題】カメラヘッドとカメラ本体との双方に電池が各々装填されるカメラシステムにおいて、要放電二次電池が少なくとも一方に装填された場合に装填された要放電二次電池の放電を行なわせることができるカメラシステムを提供する。【解決手段】  カメラ本体に設けられた本体側電池室に装填された電池とカメラヘッドに設けられたヘッド側電池室に装填された電池との双方について放電を行なうか行なわないかをユーザに判定させる。ユーザにより、双方の電池が要放電電池であると認識されている場合には、ＬＣＤ表示画面上の選択メニューの中からカメラ本体とカメラヘッドとの双方を選択させ、その選択に応じてこのカメラシステムが双方の電池の放電を実行する。【選択図】  図４
2006040649.tif 000002
【特許請求の範囲】
【請求項１】
撮影光学系と撮像素子を備えたカメラヘッドと、該カメラヘッドが着脱自在に装着され該カメラヘッドから画像信号を受け取って信号処理を行なうカメラ本体とを備えたカメラシステムにおいて、
前記カメラ本体に設けられた、電池が着脱自在に装填される本体側電池室と、
前記カメラヘッドに設けられた、電池が着脱自在に装填されるヘッド側電池室と、
前記本体側電池室に装填された電池及び／又は前記ヘッド側電池室に装填された電池を放電する放電手段とを備えたことを特徴とするカメラシステム。
【請求項２】
前記放電手段をユーザ操作に応じて動作させる操作手段を備えたことを特徴とする請求項１記載のカメラシステム。
【請求項３】
前記操作手段が、ユーザ操作に応じて、前記放電手段に、前記本体側電池室に装填された電池と前記ヘッド側電池室に装填された電池とのうちの一方の電池あるいは双方の電池を放電させるものであることを特徴とする請求項２記載のカメラシステム。
【請求項４】
前記本体側電池室および前記ヘッド側電池室が、装填された電池が充電前放電を必要とする要放電二次電池であるか否かを検出する検出手段を備え、
前記操作手段は、前記検出手段による検出結果に応じて前記要放電二次電池のみユーザによる放電指示操作を可能ならしめるものであることを特徴とする請求項１記載のカメラシステム。
【請求項５】
前記放電手段は、このカメラシステムの、電力を消費して動作する構成部分を動作させることにより放電するものであることを特徴とする請求項１記載のカメラシステム。
【請求項６】
前記放電手段は、このカメラシステムの、相対的に大電力を消費して動作する高負荷構成部分を動作させて放電し、次いで相対的に小電力を消費して動作する低負荷構成部分を動作させて放電するものであることを特徴とする請求項５記載のカメラシステム。
【請求項７】
前記放電手段は、前記本体側電池室と前記ヘッド側電池室との双方に二次電池が装填され、これら双方の二次電池のうちの一方の二次電池を放電するにあたり、前記一方の二次電池から取り出した電力で他方の二次電池を充電するものであることを特徴とする請求項１記載のカメラシステム。
【発明の詳細な説明】
【技術分野】
【０００１】
本発明は、撮影光学系と撮像素子を備えたカメラヘッドと、そのカメラヘッドが着脱自在に装着され該カメラヘッドから画像信号を受け取って信号処理を行なうカメラ本体とを備えたカメラシステムに関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子を備えたカメラヘッドと、カメラヘッドが着脱自在に装着されカメラヘッドから画像信号を、インタフェースを介して受け取って信号処理を行なうカメラ本体とを備えたカメラシステムがある（例えば特許文献２参照）。
【０００４】
このようなカメラシステムにおいては、カメラヘッドがカメラ本体に装着された状態にあるときにカメラ本体側の電池からカメラヘッドに電力が供給されカメラシステム全体が動作するものが多い。しかしながら、カメラヘッド側で消費する電力の供給をカメラ本体側の電池から行う場合、大量に電力を消費するカメラヘッドへの対応を可能にするためには、電力供給用の接点を大型にしなければならず、コネクタ部が大型化してしまうという問題がある。そこで、コネクタ部の小型化を図るため、カメラ本体とカメラヘッドとの双方に電池を配備するようにしたものもある。
【０００５】
ところで、様々な二次電池が開発され、それらの二次電池の種別を特許文献３に記載ののような検出装置で検出し、カメラヘッドとカメラ本体とからなるカメラシステムに用いることが考えられる。しかし、上記のような二次電池の中には、浅い充放電を繰り返すと、充電可能な容量が減少してしまうメモリ効果が現れてしまう二次電池も少なくない。このようなメモリ効果が現れると、充分な充電を行なったはずであったのに思ったほどの電力が電池内には充電されておらず、電池の放電が進んでいくにつれて上記検出装置で電池残量を検出していたとしても上記カメラシステムが急にシステムダウンしてしまうことがある。
【０００６】
そこで、一般にこのメモリ効果が現れる二次電池に対しては、充電前に放電を行なうと有効であることが知られているので充電を行なう前に放電を行なわせ、メモリ効果の影響が現れることを防止してから充電を行なうようにしているカメラシステムもある（例えば特許文献４、５参照）。以下、充電を行なう前に放電することが必要な二次電池を要放電二次電池と称することにする。
【０００７】
しかし、カメラヘッドとカメラ本体との双方に各々電池が個別に装填されるようなカメラシステムにおいては、双方に要放電二次電池が装填されることも、いずれかに要放電二次電池が装填されることも、また双方共に一次電池が装填されることもある。
【特許文献１】特開平８−１７２５６１号公報
【特許文献２】特開２０００−１７５０８９号公報
【特許文献３】特開平１１−１９１４３７号公報
【特許文献４】特開２００４−５６３５４号公報
【特許文献５】特開２００１−２０３００２号公報
【発明の開示】
【発明が解決しようとする課題】
【０００８】
本発明は、上記事情に鑑み、カメラヘッドとカメラ本体との双方に電池が装填されるカメラシステムにおいて、要放電二次電池が少なくとも一方に装填された場合に装填された要放電二次電池の放電を行なわせることができるカメラシステムを提供することを目的とする。
【課題を解決するための手段】
【０００９】
上記目的を達成する本発明のカメラシステムは、撮影光学系と撮像素子を備えたカメラヘッドと、そのカメラヘッドが着脱自在に装着されそのカメラヘッドから画像信号を受け取って信号処理を行なうカメラ本体とを備えたカメラシステムにおいて、
上記カメラ本体に設けられた、電池が着脱自在に装填される本体側電池室と、
上記カメラヘッドに設けられた、電池が着脱自在に装填されるヘッド側電池室と、
上記本体側電池室に装填された電池及び／又は上記ヘッド側電池室に装填された電池を放電する放電手段とを備えたことを特徴とする。
【００１０】
上記本発明のカメラシステムによれば、上記放電手段により、上記本体側電池室に装填された電池及び／又は上記ヘッド側電池室に装填された電池の放電が行なわれる。
【００１１】
例えばヘッド側電池室及び本体側電池室の双方に二次電池が装填されしかもそれらの二次電池が双方とも要放電二次電池であった場合には、双方の二次電池の放電が行なわれ、またヘッド側電池室又は本体側電池室に装填された電池のいずれかが要放電二次電池であった場合には、その要放電二次電池の放電が行なわれる。このように装填された電池が二次電池であってその二次電池が要放電二次電池であった場合に限り、上記放電手段により放電が行なわれる。
【００１２】
ここで、上記放電手段をユーザ操作に応じて動作させる操作手段を備えた態様であることが好ましく、上記操作手段が、ユーザ操作に応じて、上記放電手段に、上記本体側電池室に装填された電池と上記ヘッド側電池室に装填された電池とのうちの一方の電池あるいは双方の電池を放電させるものであることが望ましい。
【００１３】
そうすると、ユーザがヘッド側電池室に装填した電池と本体側装填室に装填した電池との双方の種別各々を把握していることを利用してユーザに放電させるべき電池を判断させ、ユーザが要放電電池であると判断した場合に限り、電池の放電を行なわせることができる。
【００１４】
さらに、上記本体側電池室および上記ヘッド側電池室が、装填された電池が充電前放電を必要とする要放電二次電池であるか否かを検出する検出手段を備え、
上記操作手段は、上記検出手段による検出結果に応じて上記要放電二次電池のみユーザによる放電指示操作を可能ならしめるものであることが好ましい。
【００１５】
そうすると、上記本体側電池室および上記ヘッド側電池室に電池が装填されたときに、双方の検出手段により要放電二次電池であるかどうかがこのカメラシステムに把握されるので、万が一上記操作手段により上記要放電二次電池以外の二次電池または一次電池の放電指示操作が行なわれたとしても放電が行なわれなくなる。
【００１６】
また、上記放電手段は、このカメラシステムの、電力を消費して動作する構成部分を動作させることにより放電するものであることが好ましく、上記放電手段は、このカメラシステムの、相対的に大電力を消費して動作する高負荷構成部分を動作させて放電し、次いで相対的に小電力を消費して動作する低負荷構成部分を動作させて放電するものであることが望ましい。
【００１７】
そうすると、まず高負荷構成部分を動作させて放電を速い速度で進行させ、ある程度放電を進行させたら次に低負荷構成部分を動作させて最初よりも放電の進行を遅めることで、最後まで完全な放電を電池に行なわせることができる。放電に多少時間は要するものの、二次電池を傷めることなく電池の電力が完全に放電され、メモリ効果が完全に除去されるようになる。
【００１８】
ここで、上記放電手段は、上記本体側電池室と上記ヘッド側電池室との双方に二次電池が装填され、これら双方の二次電池のうちの一方の二次電池を放電するにあたり、上記一方の二次電池から取り出した電力で他方の二次電池を充電するものであっても良い。
【発明の効果】
【００１９】
以上、説明したように、カメラヘッドとカメラ本体との双方に電池が装填されるカメラシステムにおいて、要放電二次電池が少なくとも一方に装填された場合に装填された要放電二次電池に放電を行なわせることができるカメラシステムが実現される。
【発明を実施するための最良の形態】
【００２０】
以下、本発明の実施の形態について説明する。
【００２１】
図１は、本発明の一実施形態であるカメラシステムを示す図である。
【００２２】
図１に示すように本実施形態のカメラシステム１は、カメラヘッド１ａとカメラ本体１ｂとを備える。図１には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。カメラヘッド１ａにはヘッド側電池室１Ａが、カメラ本体１ｂ側には本体側電池室１Ｂが設けられており、それらの電池室内には一次電池または二次電池が装填されている。これらの電池室１Ａ，１Ｂ内に装填される二次電池としては、ニッケル水素電池やリチウムイオン電池などがある。
【００２３】
カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。カメラヘッドがカメラ本体に装着されたときに電気的な接続が常に保たれるように、カメラ本体内にはカメラヘッドがカメラ本体に装着された状態が保たれるようにアクチュエータを備えた固定機構が設けられている。もしカメラヘッド１ａをカメラ本体１ｂから取り外したい場合には、取り外しスイッチを操作すればそのアクチュエータに指示が与えられて固定機構が取り外し可能な状態に遷移するようになっている。
【００２４】
この多数のマウント接点の中のそれぞれが通信用にそれぞれ割り当てられていて、カメラ本体１ｂ側からカメラヘッド１ａ側へ情報の問い合わせや画像信号の送信要求が行なわれたり、またカメラヘッド１ａ側からカメラ本体１ｂ側へその問い合わせに応じた回答や画像信号の送信が行なわれたりする。
【００２５】
また、ヘッドマウント１０ｂの上方にはＡＷＢセンサ１１ｂが配備され、そのＡＷＢセンサ１１ｂにより撮影時の光源種が検出されている。この光源種とは、例えば太陽光であるか蛍光灯であるかといったようなものであり、この光源種がＡＷＢセンサ１１ｂにより検出されると後述するデジタル信号処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、このモードダイヤル１４ｂは電源スイッチとしても働く。また図示はしないが、カメラ本体の裏面側には操作手段として十字キーやＯＫ釦などのスイッチ類が配備されている。
【００２６】
ここで図２を参照してカメラヘッド１ａとカメラ本体１ｂの内部の構成を説明する。
【００２７】
図２はカメラヘッド１ａがカメラ本体１ｂに装着された状態にあるときの電気系統の構成を示すブロック図である。
【００２８】
図２の上方側にはカメラヘッド１ａの構成が、また図２の下方側にはカメラ本体１ｂの構成がそれぞれ示されている。
【００２９】
前述したようにカメラシステム１を構成するカメラヘッド１ａとカメラ本体１ｂはそれぞれ動作電源として電池を個別に備えたものであって、カメラヘッド１ａ側のＤＣ／ＤＣコンバータ１０１ａと本体側のＤＣ／ＤＣコンバータ１４１ｂはともに各電池Ｂｔ１ａ、Ｂｔ１ｂからの電力の供給を直接受けている電源制御部１００ａ，１４０ｂによって制御される。カメラヘッド１ａがカメラ本体１ｂに装着された状態にあるときに、モードダイヤル１４ｂが操作されることによって電源投入の指示がユーザ操作により出されると、カメラ本体側の電源制御部１４０ｂからＤＣ／ＤＣコンバータ１４１ｂに指示が出されてカメラ本体内の各部に電力が供給されるとともに、そのカメラ本体１ｂ側の電源制御部１４０ｂ、さらにラッチ部１６０ｂ、Ｉ／Ｏ部１６１ｂを経てカメラヘッド１ａ側の電源制御部１００ａにも電力供給の指示が伝達されてＤＣ／ＤＣコンバータ１０１ａに指示が出されてカメラヘッド１ａ側の各部に電力が供給される。
【００３０】
なお、カメラヘッド１ａがカメラ本体１ｂに装着された状態になったときには、カメラ本体１ｂ側の電源制御部１４０ｂにカメラヘッド１ａ側からロー信号（グランドレベル）が供給される。ここでモードダイヤルにより電源投入の指示が出されたら、これを受けてカメラ本体１ｂ側の電源制御部１４０ｂによりラッチ部１６０ｂがローからハイへ、もしくはハイからローへ切り替えられＩ／Ｏ部１６１ｂに切り替えられたままのラッチ信号が供給される。さらにＩ／Ｏ部１６１ｂからカメラヘッド１ｂ側の電源制御部１４０ｂへ向けて電源オン指示が伝達される仕組みになっている。
【００３１】
そうすると、電源スイッチ１４ｂが投入されたときに、カメラ本体１ｂ側のＤＣ／ＤＣコンバータ１４０ｂ、またカメラヘッド１ａ側のＤＣ／ＤＣコンバータ１０１ａから各部に電力が供給されてこのカメラシステム全体が動作する。
【００３２】
ここで図２を参照してカメラヘッド１ａとカメラ本体１ｂの内部構成をそれぞれ説明しておく。
【００３３】
まず、カメラヘッド１ａ側の構成を説明する。
【００３４】
図２に示すようにこのカメラシステム１を構成するカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換して高速シリアルドライバ１５０ａに供給している。この高速シリアルドライバ１５０ａにより駆動される高速シリアルバスによってカメラ１ｂ本体側にデジタル信号になった画像信号が送信される。勿論、この高速シリアルバスを駆動する高速シリアルドライバ１５０ｂがカメラ本体１ｂ側にも配備されていて双方のドライバによって高速シリアルバスが駆動される。この高速シリアルバスを通ってカメラ本体１ｂに供給される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。
【００３５】
一方、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００３６】
これらのＣＣＤ１２ａ、アナログ信号処理部１３ａ、Ａ／Ｄ部１４ａ、積算回路１６ａはタイミングジェネレータ（以下ＴＧという）１８ａからのタイミング信号に同期して動作するものであり、そのＴＧ１８ａの動作はヘッドＣＰＵ１９ａに制御されている。このヘッドＣＰＵ１９ａはシステムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、初期化の処理手順やＡＥやＡＦの処理手順やシリアルバスでの通信に関する処理手順などを示すソフトウエアが格納されている。これらのソフトウエアの中には、モードダイヤルによって撮影モードが選択され、さらに静止画撮影モードが選択されたときに起動されるスルー画処理に関するソフトウエアや静止画処理に関するソフトウエア、また動画撮影モードが選択されたときに起動される動画処理に関するソフトウエアなどもある。これらのソフトウエアの処理手順にしたがって、このカメラヘッドの初期化や、その初期化が行なわれた後の各部の動作がヘッドＣＰＵ１９ａによって制御されている。
【００３７】
また、不揮発性メモリ１９１ａには、カメラヘッド１ａ用のコンフィギュレーション情報および信号処理ソフトウエアも記憶されている。このコンフィギュレーション情報の中にはＣＣＤの画素数であるとか、フィルタ配列であるとかの情報などがある。カメラ本体１ｂからコンフィギュレーション情報および信号処理ソフトウエアの送信の要求を表すコマンドが３線シリアルバスを経由して送信されてきたら、その不揮発性メモリ１９１ａ内のコンフィギュレーション情報および信号処理ソフトウエアが３線シリアルバスを経由してカメラ本体１ｂに送信される。勿論、カメラ本体１ｂ側にも３線シリアルバスを駆動する３線シリアルドライバ１５１ｂが配備されており、双方のドライバで駆動されるシリアルバスによってカメラ本体１ｂからカメラヘッド１ａへ、あるいはカメラヘッド１ａからカメラ本体１ｂへのコマンドのやり取りが行なわれている。この３線シリアルバスを用いることにより、前述したコンフィギュレーション情報の送信の要求がカメラ本体側から送信されてきたときにその要求に応えてコンフィギュレーション情報を送るなどのやり取りが簡単に行なえる。
【００３８】
このようにカメラヘッド１ａがカメラ本体１ｂに装着されたときに３線シリアルバスを用いてコンフィギュレーション情報などをカメラ本体側１ｂへ送って、カメラヘッド１ａ内のＣＣＤ１２ａのハードウエアをカメラ本体１ｂ側に通知した後、ＣＣＤ１２ａで生成した画像信号をカメラ本体１ｂへ供給するときには、高速シリアルバスを用いて短時間のうちに画像信号を供給するようにしている。
【００３９】
以上がカメラヘッド１ａ側の構成である。
【００４０】
次にこのカメラヘッド１ａから画像信号が供給されその供給された画像信号の信号処理を行なうカメラ本体１ｂ側の構成を説明する。
【００４１】
カメラ本体１ｂには、３線シリアルバスによりカメラヘッド１ａ側から送信されてきたコンフィギュレーション情報を本体ＣＰＵ１００ｂの制御の基に受けて、そのコンフィギュレーション情報がセットされることによりカメラヘッド１ａ内のＣＣＤ１２ａにあった信号処理が行なわれるリコンフィギュレーション信号処理部１０３ｂが配備されている。本体ＣＰＵ１００ｂが、このリコンフィギュレーション信号処理部１０３ｂにコンフィギュレーション情報をセットするにあたって、３線シリアルドライバ１５１ｂを制御して、カメラヘッド１ａ側のコンフィギュレーション情報の送信要求をカメラヘッド１ａに対し送信するとともに、その送信に応えてカメラヘッド１ａからコンフィギュレーション情報が返送されてきたときにそのコンフィギュレーション情報を受け取って、その受け取ったコンフィギュレーション情報をリコンフィギュアラブル信号処理部１０３ｂにセットしている。
【００４２】
この本体ＣＰＵ１００ｂは、カメラヘッド１ａ側のヘッドＣＰＵ１９ａと協同してこのカメラシステム全体の動作を制御するものであって、ヘッドＣＰＵ１９ａと同様、カメラ本体１ｂ側のシステムメモリ１０１ｂ内に格納されているプログラムの手順にしたがってカメラ本体の動作を制御している。
【００４３】
このようにカメラヘッド１ａ内の不揮発性メモリ１９１ａ内に記憶されたコンフィギュレーション情報および信号処理ソフトウエアがカメラ本体１ｂ側の送信要求に応じて３線シリアルバスを経由してカメラ本体１ｂに送信されてくるので、そのコンフィギュレーション情報が本体ＣＰＵ１００ｂの制御の基にリコンフィギュアラブル信号処理部１０３ｂにセットされそのリコンフィギュアラブル信号処理部１０３ｂでの信号処理がその信号処理ソフトウエアの手順にしたがって行なわれる。
【００４４】
このようにしておくと、カメラヘッド１ａが備えるＣＣＤ１２ａの仕様に応じた信号処理がいつでもカメラ本体１ｂ側で行なえる。
【００４５】
本実施形態では、前述したようにカメラヘッド１ａからスルー画信号、静止画信号、動画信号の３種類の画像信号のうちのいずれかが送信されてくるので、例えばスルー画信号であればそのスルー画信号にリコンフィギュアラブル信号処理部１０３ｂで処理が施されその処理が施された画像信号がフレームメモリを経由してＬＣＤ制御部、さらにＬＣＤ１０５０ｂに供給されＬＣＤ表示画面上にスルー画信号に基づくスルー画が表示される。ＬＣＤ制御部１０５ｂにはＯＳＤ（Ｏｎ  Ｓｃｒｅｅｎ  Ｄｉｓｐｌａｙ）１０５１ｂ側からの情報も供給されており、このＬＣＤ画面上には、スルー画とともに選択メニューなども表示されるようになっている。
【００４６】
また、そのスルー画を見ながらレリーズ釦が押されたら、ＣＣＤ１２ａで生成された静止画信号がリコンフィギュアラブル信号処理部１０３ｂに供給され、そのリコンフィギュアラブル信号処理部１０３ｂで信号処理が施され、さらにカードＩ／Ｆ１０６ｂを経由してメモリカードスロット１０７ｂに装填されているメモリカード１０８ｂにＪＰＥＧ圧縮された静止画信号が記録される。
【００４７】
さらに動画像信号にリコンフィリュアラブル信号処理部１０３ｂで処理が施されると、カードＩ／Ｆ１０６ｂを経由してメモリカードスロット１０７ｂに装填されているメモリカード１０８ｂにＭＰＥＧ圧縮された画像信号などが記録される。
【００４８】
このように画像信号の処理がヘッド内のＣＣＤ１２ａのコンフィギュレーションに合わせて行なわれて適宜処理が施される。
【００４９】
また、カメラ本体１ｂには、画像信号の処理を行なう部分のほか、ＯＳＤ１０５１ｂを経由してＬＣＤ画面上に時刻や日付情報を表示するためのデータを作成するタイマ１１０ｂやカレンダ時計１１１ｂなどや外部機器との接続用のＵＳＢドライバ１３１ｂおよびＵＳＢコネクタ１３０ｂや操作指示を与えるスイッチ／ＬＥＤ等１３２ｂなども配備されている。このスイッチの操作指示などはＩ／Ｏ１３３ｂを介して本体ＣＰＵ１００ｂに供給され、本体ＣＰＵ１００ｂではその操作指示に応じた処理が行なわれる。ただしレリーズ釦１３ｂは本体ＣＰＵ１００ｂおよびヘッドＣＰＵ１９ａの双方の割り込み端子に直接接続されており、レリーズ釦１３ｂが押されたときには、双方のＣＰＵ１９ａ，１００ｂに割り込みがかけられて静止画処理プログラムもしくは動画プログラムが起動されるようになっている。
【００５０】
また、前述したように本実施形態では、カメラヘッド１ａ、カメラ本体１ｂ双方に個別に電池が装填され、しかもそれらの電池として充電自在な二次電池が使用可能な構成になっているため、二次電池として要放電二次電池（例えばニッケル水素電池）が装填された場合にその要放電二次電池を充電前放電させるための放電モードに関するプログラムもシステムメモリ１０１ｂ内に格納されている。このプログラムには、ユーザ操作に応じて放電を行なわせるための手順が記されている。
【００５１】
図３は、本体ＣＰＵ１０１ｂおよびヘッドＣＰＵ１９ａが行なう放電モードの処理手順を示すフローチャートである。
【００５２】
ステップＳ３０１でＯＳＤ１０５１ｂに指示を出してＯＳＤ１０５１ｂに選択メニューの表示を行なわせる。次のステップＳ３０２でその選択メニューの中の選択項目の一つである放電モードの選択をユーザに行なわせ、ユーザ操作によって放電モードが選択されたと判定したら、Ｙ側に進み次のステップＳ３０３で放電処理を実行する。ステップＳ３０２で放電モードがユーザ操作により選択されていないと判定したらＮ側へ進み他のモードの処理へと移行する。
【００５３】
図４は、ステップＳ３０１のメニュー画面を説明する図である。
【００５４】
図４（ａ）は、放電モードを選択した直後の画面を示す図である。ユーザ操作（例えば十字キーなどの操作）により放電モードが選択されたら図４（ａ）の表示画面になって、次いで図４（ｂ）の表示画面へと切り替わる。この図４（ｂ）では、メモリ効果が顕著に現れるニッケル水素電池でのみ放電を実行するようにという注意を促し、次に図４（ｃ）の表示画面に切り替わって充電地の放電をするか否かをユーザに判断させている。ここでは二次電池の電力を急激に放電させずに、電池を長持ちさせるためにカメラシステムの各部を動作させることによって電池の電力を無理なく消費させようとしているので、表示画面上に‘放電に時間がかかる場合があります’といった注釈を表示するようにしている。この図４（ｃ）に示す表示画面内の‘ＯＫ実行’が例えばＯＫ釦が押されることにより指示されたら、次の図４（ｄ）に示す表示画面に切り替わって、ヘッドのみ、カメラ本体のみ、ヘッド及び本体のいずれかが選択される表示画面に切り替わる。本実施形態のカメラシステムでは、カメラヘッドとカメラ本体との双方に設けられた電池室に個別に電池が装填されるようになっていて、それらの電池がすべて要放電二次電池とは限らないので、このような表示を行なってユーザに放電を行なうか否かを判断させている。
【００５５】
ここで、図４（ｄ）に示す如く‘ヘッド，本体’が選択されたら、カメラ本体とカメラヘッドとの双方の電池の放電が行なわれて、それらの電池の放電が行なわれている最中に図４（ｅ）に示す‘充電池放電  実行中’が表示される。
【００５６】
図５は、図４（ｅ）に示す表示が行なわれているときに本体ＣＰＵおよびヘッドＣＰＵが実行する放電処理の手順を示すフローである。
【００５７】
まず、ステップＳ５０１で、このカメラシステムの、相対的に大電力を消費して動作する高負荷構成部分を動作させることにより要放電二次電池の放電を実行して、次のステップＳ５０２で電池の電圧Ｖ１が所定の電圧Ｖ１ｍｉｎ以下になったかどうかを判定し、要放電二次電池の電圧Ｖ１が所定の電圧Ｖ１ｍｉｎよりも大きかったらＮｏ側へ進み、ステップＳ５０１を繰り返し二次電池の放電を続ける。そして、電池の電圧Ｖ１が所定の電圧Ｖ１ｍｉｎ以下になったら、Ｙｅｓ側に進み、今度はステップＳ５０３で、相対的に小電力を消費して動作する低負荷構成部分を動作させて二次電池の放電を実行する。このようにしたら次のステップＳ５０４で上記所定の電圧Ｖ１ｍｉｎより小さな第２の所定の電圧Ｖ２ｍｉｎ以下になったかどうかを判定し、その第２の所定の電圧Ｖ２ｍｉｎ以下になっていなかったらＮｏ側へ進み、ステップＳ５０３を繰り返し放電を続け、次のステップＳ５０４へ進みこのステップＳ５０４で電池の電圧Ｖ２が所定の電圧Ｖ２ｍｉｎ以下になったらＹｅｓ側へ進んで電源をオフしこのフローの処理を終了する。なお、フロー中、同じ電池の出力電圧をＶ１、Ｖ２というように区別して表記してあるのは、電池電圧が高負荷時に閾値電圧Ｖ１ｍｉｎに達するときと、さらにその閾値電圧Ｖ１ｍｉｎに達した後で電池電圧が低負荷時にその閾値電圧よりも小さな閾値電圧Ｖ２ｍｉｎに達するときとを区別して示すためである。
【００５８】
ステップＳ５０１の処理にあっては、例えばカメラヘッド１ａ内のＣＣＤ１２ａ、アナログ信号処理回路１３ａ、カメラ本体１ｂ内のリコンフィギュアラブルデジタル信号処理部１０３ｂ、さらにカードＩＦ１０６ｂとを動作させることで高負荷構成部分を構成し、ステップＳ５０３の処理にあっては、その高負荷構成部分のうちのカードＩＦ１０６ｂとＣＣＤ１３ａの動作を停止させアナログ信号処理回路１４ａとリコンフィギュアラブルデジタル信号処理部１０３ｂとカードＩＦ１０６ｂとのみを動作させることで低負荷構成部分を構成するなどの構成が考えられる。
【００５９】
このように本実施形態では、本体側ＣＰＵ１００ｂおよびヘッド側ＣＰＵ１９ａが、このカメラシステム１の、電力を消費して動作する構成部分を動作させることにより二次電池を放電させようとしている。つまり、この本体ＣＰＵおよびヘッド側ＣＰＵ、さらにその本体ＣＰＵおよびヘッドＣＰＵの制御の基に動作するＣＣＤ、アナログ信号処理部、デジタル信号処理部とったところが本発明にいう放電手段に相当する。
【００６０】
図６は、変形例を示す図である。
【００６１】
図６に示すように電池種別判定手段１０Ａ，１０Ｂがカメラヘッド１ａとカメラ本体１ｂとの双方に設けられ、またカメラヘッド１ａ側のＤＣ／ＤＣコンバータ１００ａからバッテリＢｔ１ａへの接続経路が付加され、カメラ本体１ｂ側の電源制御部１４０ｂが、カメラ本体１ｂ側の電池Ｂｔ１ｂからの電力を受け取ってヘッド１ａ側の電池Ｂｔ１ａを充電する構成が付加されている以外は、図２と同様の構成である。
【００６２】
図７に示すように、カメラヘッド１ａとカメラ本体１ｂとの双方に本発明にいう検出手段として電池種別判定手段１０Ａ，１０Ｂが設けられているので、双方の電池室に装填されている電池の種別が自動的に検出されるようになる。
【００６３】
このようになっていると、例えばカメラ本体１ｂ側の電池Ｂｔ１ｂが要放電二次電池であって、カメラヘッド１ａ側が通常の二次電池Ｂｔ１ａであってその二次電池に充電が必要な場合には、カメラ本体１ｂ側の要放電二次電池を放電するにあたり、カメラ本体１ｂ側の二次電池からカメラ本体１ｂ側の電源制御部１４０ｂにより取り出した電力をヘッド１ａ側のＤＣ／ＤＣコンバータ１０１ａへ供給してその電力でカメラヘッド１ａ側の二次電池Ｂｔ１ａを充電する構成にもすることができる。そうすると、二次電池の電力が効率よくリサイクルされカメラヘッド１ａ側の二次電池を充電装置により充電する手間が省けるという効果が得られる。
【００６４】
図７は、電池種別判定手段の構成例を示す図である。
【００６５】
図７（ａ）には、メモリ効果の大きな二次電池（例えばニッケル水素電池）ＢｔＮｉの外形が示されており、図７（ｂ）にはメモリ効果の小さなリチウムイオン電池ＢｔＬｉが示されている。また図７（ｃ）はカメラヘッド１ａ側およびカメラ本体１ｂ側の電池装填室１Ａ，１Ｂに電池種別判定手段１０Ａ，１０Ｂを設けた場合の例が示されている。
【００６６】
図７（ａ）に示す二次電池ＢｔＮｉと図７（ｂ）に示す二次電池ＢｔＬｉの外形をそれぞれ比較すると、外形に明らかに違いがある。これを利用して図７（ｃ）には電池室１０Ａ，１０Ｂの角部に押し釦スイッチを設けてその押し釦スイッチが電池により押されてスイッチＯＮするかどうかをヘッドＣＰＵまたは本体ＣＰＵで検知する電池種別判定手段が示されている。このように自動的に電池の種別を検出することができるようにしておくと、上記のようなリサイクル機能を持つ構成への拡張がより簡単に図れる。
【００６７】
図８は、図４に示した表示画面の別の構成例である。
【００６８】
上記のように電池種別判定手段１０Ａ，１０Ｂを設けると、ユーザに選択させるような選択画面（図４（ｄ）参照）にせずに放電指示のみを行なわせる表示画面にすることもできる。また図４（ｄ）に示す表示画面を活用するならば、例えば電池種別判定手段１０Ａ，１０Ｂによりメラ本体１ｂのみが要放電二次電池であることが本体ＣＰＵ１００ｂにより検知された場合には、ＬＣＤ画面のうち、ヘッドを選択する項目が選択不可であることをユーザに示すような表示画面（図８（ｄ））にしても良い。そうすると、例えば十字キーなどの操作手段によって、要放電二次電池以外の電池の放電指示が成されることがなくなる。
【００６９】
また、図９は、二次電池の別の外形と一次電池が２本結束されたものの外形を示した図である。このカメラシステムは、一次電池を使用することができるので、一次電池と二次電池の種別の違いを検出する手段を設けておく必要もある。その場合にも図９（ａ）と図９（ｂ）に示す外形の違い（図の符号の部分）を利用して、図７と同様に種別を検出するような構成にすれば良い。
【図面の簡単な説明】
【００７０】
【図１】本発明の一実施形態であるカメラシステムを示す図である。
【図２】カメラヘッド１ａがカメラ本体１ｂに装着された状態にあるときの電気系統の構成を示すブロック図である。
【図３】本体ＣＰＵ１０１ｂおよびヘッドＣＰＵ１９ａが行なう放電モードの処理手順を示すフローチャートである。
【図４】図３のステップＳ３０１のメニュー画面を説明する図である。
【図５】図４（ｅ）に示す表示が行なわれているときに実行されている放電処理の手順を示すフローである。
【図６】変形例を示す図である。
【図７】電池種別判定手段の構成例を示す図である
【図８】図４に示した表示画面の別の構成例である。
【図９】二次電池の別の外形と一次電池が２本結束されたものの外形を示した図である。
【符号の説明】
【００７１】
１  カメラシステム
１ａ  カメラヘッド
１Ａ    ヘッド側電池室
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１５０ａ    高速シリアルドライバ
１５１ａ    ３線シリアルドライバ
１６ａ    積算回路
１７ａ    絞り／フォーカス／ズーム制御部
１８ａ    ＴＧ
１９ａ    ヘッドＣＰＵ
１９０ａ    ＲＯＭ／ＲＡＭ（ＲＯＭ／ＲＡＭ）
１９１ａ    不揮発性メモリ
１９２ａ    データバス
１ｂ    カメラ本体
１Ｂ    本体側電池室
１０ｂ    ヘッドマウント
１００ｂ    本体ＣＰＵ
１０１ｂ    ＲＯＭ／ＲＡＭ
１０２ｂ    不揮発性メモリ
１０３ｂ    デジタル信号処理部
１０４ｂ    フレームメモリ
１０５ｂ    ＬＣＤ制御部
１０５０ｂ    ＬＣＤ
１０５１ｂ    ＯＳＤ
１０６ｂ    カードＩ／Ｆ
１０７ｂ    メモリカードスロット
１０８ｂ    メモリカード
１５０ｂ    高速シリアルドライバ
１５１ｂ    ３線シリアルドライバ
Ｂｔ１ａ  Ｂｔ１ｂ    電池
【図１】
2006040649.tif 000003
【図２】
2006040649.tif 000004
【図３】
2006040649.tif 000005
【図４】
2006040649.tif 000006
【図５】
2006040649.tif 000007
【図６】
2006040649.tif 000008
【図７】
2006040649.tif 000009
【図８】
2006040649.tif 000010
【図９】
2006040649.tif 000011